(57)【特許請求の範囲】
【請求項１】
外周面に雄螺条が形成されている円筒形状の筒壁と該筒壁を閉塞する閉塞壁を備え、該閉塞壁には少なくとも１個の貫通孔が形成されている形態の容器に適用される蓋にして、
天面壁と該天面壁から垂下するスカート壁とを有し、該スカート壁の内周面は円筒形状であって雌螺条が形成されており、該天面壁の内面にはその中心から延出する支持柱が形成され、該支持柱から半径方向外方に円弧形状に延出する少なくとも１個のスクレーパ片が付設されており、該雄螺条に該雌螺条を螺合せしめることによって該筒壁に装着すると、該スクレーパ片が該閉塞壁の外面に当接せしめられる、
ことを特徴とする蓋。
【請求項２】
該スクレーパ片は弾性的に変形せしめられて該閉塞壁の外面に弾性的に押圧せしめられる、請求項１記載の蓋。
【請求項３】
該支持柱から該スクレーパ片が等角度間隔をおいて複数個延出する、請求項１又は２に記載の蓋。
【請求項４】
該スクレーパ片は該容器から蓋を離脱せしめる際の蓋の回転方向に見て下流側が凹状である、請求項１から３までのいずれかに記載の蓋。
【請求項５】
外周面に雄螺条が形成されている円筒形状の筒壁と該筒壁を閉塞する閉塞壁を備え、該筒壁の先端部内周面は円筒形状であり、該閉塞壁は該筒壁と一体に形成され且つ該筒壁の先端から幾分後退して位置せしめられており、該閉塞壁には少なくとも１個の貫通孔が形成されている形態の容器に適用される蓋にして、
天面壁と該天面壁から垂下するスカート壁とを有し、該天面壁は円形中央部と該中央部の外周縁から上方に延びる円筒形状部と該円筒形状部の上端から半径方向外方に延出する環状外周部とを有し、該スカート壁の内周面は円筒形状であって雌螺条が形成されており、該天面壁の内面には少なくとも１個のスクレーパ片が付設されており、該雄螺条に該雌螺条を螺合せしめることによって該筒壁に装着すると、該天面壁における該環状外周部の下面が該筒壁の先端に当接せしめられ、該天面壁における該円筒形状部の外周面が該筒壁の先端部内周面に当接せしめられ、該スクレーパ片が該閉塞壁の外面に当接せしめられる、
ことを特徴とする蓋。
【発明の詳細な説明】
【技術分野】
【０００１】
本発明は、蓋、更に詳しくは外周面に雄螺条が形成されている円筒形状の筒壁と、この筒壁を閉塞する閉塞壁とを備え、閉塞壁には少なくとも１個の貫通孔が形成されている形態の容器に適用される蓋に関する。
【背景技術】
【０００２】
当業者には周知の如く、粉、粒或いは顆粒から成る調味料乃至薬味料を収容する容器として、円筒形状の筒壁とこの筒壁を閉塞する閉塞壁とを備え、筒壁の外周面には雄螺条が形成され、閉塞壁には複数個の貫通孔が形成されている形態の容器が広く実用に供されている。そして、かような容器には筒壁に装着されて閉塞壁を覆う蓋が適用される。容器の内容物を排出する際に筒壁から蓋が離脱されて閉塞壁が露呈され、閉塞壁に形成されている貫通孔を通して内容物が排出される。内容物を所要量排出した後には、筒壁に蓋が再び装着され、閉塞壁が覆われる。
【０００３】
下記特許文献１には、閉塞壁の内周面に沿って回動せしめられるワイパーユニットを配設し、かかるワイパーユニットの回動によって閉塞壁の内面に付着した内容物を落下せしめることが開示されている。
【先行技術文献】
【特許文献】
【０００４】
【特許文献１】特許第３１７９４４７号公報
【発明の概要】
【発明が解決しようとする課題】
【０００５】
上記特許文献１に開示された形態によれば、閉塞壁の内面に内容物が付着することは効果的に防止することができる。しかしながら、本発明者等の経験によれば、上述したとおりの閉塞壁を備えた容器の場合、粉、粒或いは顆粒である内容物が閉塞壁の内面に付着する傾向は比較的小さいのに対して、閉塞壁の外面に付着する傾向は比較的大きい。加えて、閉塞壁の内面に内容物が付着したとしても外部に露呈することはなく、重大な問題を発生せしめることはないが、閉塞壁の外面に付着して残留する内容物は、蓋の装着時及び離脱時にジャリジャリという不快な感触を消費者に与え、そしてまた蓋を離脱した時に閉塞壁から離脱して周囲に落下してしまう傾向がある。
【０００６】
本発明は上記事実に鑑みてなされたものであり、その主たる技術的課題は、蓋の構成を改良して容器に配設されている閉塞壁の外面に内容物が付着し残留することが可及的に防止されるようになすことである。
【課題を解決するための手段】
【０００７】
本発明によれば、蓋の天面壁の内面にスクレーパ片を配設し、容器の筒壁に蓋が所要とおりに装着されるとスクレーパ片が閉塞壁の外面に当接せしめられるようになすことによって、上記主たる技術的課題が達成される。
【０００８】
即ち、本発明によれば、上記主たる技術的課題を達成する蓋として、外周面に雄螺条が形成されている円筒形状の筒壁と該筒壁を閉塞する閉塞壁を備え、該閉塞壁には少なくとも１個の貫通孔が形成されている形態の容器に適用される蓋にして、
天面壁と該天面壁から垂下するスカート壁とを有し、該スカート壁の内周面は円筒形状であって雌螺条が形成されており、該天面壁の内面にはその中心から延出する支持柱が形成され、該支持柱から半径方向外方に円弧形状に延出する少なくとも１個のスクレーパ片が付設されており、該雄螺条に該雌螺条を螺合せしめることによって該筒壁に装着すると、該スクレーパ片が該閉塞壁の外面に当接せしめられる、
ことを特徴とする蓋が提供される。
【０００９】
好ましくは、該スクレーパ片は弾性的に変形せしめられて該閉塞壁の外面に弾性的に押圧せしめられる。好ましくは、該支持柱から該スクレーパ片が等角度間隔をおいて複数個延出している。該スクレーパ片は該容器から蓋を離脱せしめる際の蓋の回転方向に見て下流側が凹状であるのが好都合である。
また、外周面に雄螺条が形成されている円筒形状の筒壁と該筒壁を閉塞する閉塞壁を備え、該筒壁の先端部内周面は円筒形状であり、該閉塞壁は該筒壁と一体に形成され且つ該筒壁の先端から幾分後退して位置せしめられており、該閉塞壁には少なくとも１個の貫通孔が形成されている形態の容器に適用される蓋にして、天面壁と該天面壁から垂下するスカート壁とを有し、該天面壁は円形中央部と該中央部の外周縁から上方に延びる円筒形状部と該円筒形状部の上端から半径方向外方に延出する環状外周部とを有し、該スカート壁の内周面は円筒形状であって雌螺条が形成されており、該天面壁の内面には少なくとも１個のスクレーパ片が付設されており、該雄螺条に該雌螺条を螺合せしめることによって該筒壁に装着すると、該天面壁における該環状外周部の下面が該筒壁の先端に当接せしめられ、該天面壁における該円筒形状部の外周面が該筒壁の先端部内周面に当接せしめられ、該スクレーパ片が該閉塞壁の外面に当接せしめられる、ことを特徴とする蓋とすることもできる。
【発明の効果】
【００１０】
本発明に従って構成された蓋によれば、特に容器の筒壁から蓋を離脱する際に、閉塞壁に当接せしめられているスクレーパ片によって閉塞壁の外面がスクレープされ、これによって閉塞壁の外面に付着している内容物が閉塞壁の外面から拭い取られてスクレーパ片に付随して移動し、貫通孔を通して容器に戻され、かくして閉塞壁の外面に内容物が付着し残留することが可及的に防止される。
【図面の簡単な説明】
【００１１】
【図１】本発明に従って構成された蓋の好適実施形態が適用される容器に装備されるスパウトを、一部を断面で示す正面図。
【図２】図１に示すスパウトの平面図。
【図３】図１に示すスパウトの底面図。
【図４】本発明に従って構成された蓋を、一部を断面で示す正面図。
【図５】図４に示す蓋の平面図。
【図６】図４に示す蓋の底面図。
【図７】図１乃至図３に示すスパウトに図４乃至図６に示す蓋を装着した状態を、一部を断面で示す正面図。
【図８】図４乃至図６に示す蓋におけるスクレーパ片の作用を説明するための断面図。
【図９】本発明に従って構成された蓋の他の実施形態を示す断面図。
【発明を実施するための形態】
【００１２】
以下、添付図面を参照して、本発明に従って構成された蓋の好適実施形態について更に詳細に説明する。
【００１３】
図１乃至図３には、本発明に従って構成された蓋が適用される容器に装備されるスパウトが図示されている。全体を番号２で示すスパウトは、ポリエチレン或いはポリプロピレンの如き適宜の合成樹脂から一体に形成することができる。このスパウト２は全体として円筒形状の筒壁４とこの筒壁４に連設され筒壁４を閉塞する閉塞壁６とを有する。筒壁４の外周面には、雄螺条８、この雄螺条８の下方に位置する環状係止あご部１０、及び係止あご部１０の下方に位置するサポートリング１２が配設されている。サポートリング１２は略正六角形状である。図示の閉塞壁６は筒壁４の内周面における先端から幾分後退した位置に配設されている。この閉塞壁６には複数個の貫通孔、図示の場合には中心に位置する１個の円形貫通孔１４ａとこの貫通孔１４ａの周囲に等角度間隔をおいて配設された４個の円形貫通孔１４ｂ、１４ｃ、１４ｄ及び１４ｅとが配設されている。筒壁４の下端には容器接続片１６が付設されていている。図示の実施形態における容器接続片１６は、筒壁４の内周と合致した円筒形状の内周面と円の両側部（図３において左端部及び右端部）を半径方向外方に延出せしめた瞳形状の外周面を有する。容器接続片１６の外周面には軸線方向に間隔をおいて３個のリブ１８が形成されている。リブ１８の各々は外周面の両側部において中断されている。容器接続片１６には、成形の際に所謂ヒケが発生するのを防止するために下端面から上方に延びる２個の空洞２０が形成されている。かようなスパウト２は、粉、粒或いは顆粒を収容した合成樹脂フィルム製パウチでよい容器２２に装備される。更に詳しくは、図１に二点鎖線で示す如く、容器２２の口頸部が加熱溶着の如き適宜の様式によってスパウト２の容器接続片１６の外周面に接続される。
【００１４】
図４乃至図６を参照して説明を続けると、本発明に従って構成された全体を番号２４で示す蓋は、ポリエチレン或いはポリプロピレンの如き適宜の合成樹脂から形成することができる。蓋２４は天面壁２６とこの天面壁２６の周縁から垂下するスカート壁２８とを有する。図示の実施形態においては、天面壁２６は実質上水平に延在する円形中央部３０、この中央部３０の周縁から上方に延びる円筒形状部３２、及び円筒形状部３２の上端から半径方向外方に実質上水平に延出する環状外周部３４を含んでいる。スカート壁２８は外周部３４の外周縁から実質上鉛直に垂下せしめられている。スカート壁２８には周方向破断ライン３６が配設されており、スカート壁２８は周方向破断ライン３６よりも上方の主部３８と周方向破断ライン３６よりも下方のタンパーエビデント裾部４０とに区画されている。周方向破断ライン３６は周方向に延びる複数個のスリット４２とスリット４２間に位置する複数個の橋絡部４４とから構成されており、タンパーエビデント裾部４０は複数個の橋絡部４４を介して主部３８に接続されている。比較的肉厚である主部３８の内周面上部には、周方向に間隔をおいて軸線方向に延びる複数個の突出片４６が形成され、主部３８の内周面下部には雌螺条４８が形成されている。一方、比較的肉薄のタンパーエビデント裾部４０の内周面には周方向に間隔をおいて複数個、図示の場合には図６から理解される如く５個、の係止突起５０が形成されている。係止突起５０の各々の下面は、タンパーエビデント裾部４０の内周面に接続された基縁から半径方向内方に向かって上方に傾斜して延出せしめられている。
【００１５】
図示の実施形態においては、上記スカート壁２８の主部３８には上方に延びる円筒形状の延長部５２が付設されている。そして、主部３８と延長部５２の外周面には放射状に延びる８個の接続リブ５４を介して外壁５６が接続されている。図４及び図５を参照することによって明確に理解される如く、外壁５６は略楕円錐形状である。外壁５６及び接続リブ５４の上端面によって規定される蓋２４の上面は実質上水平に延在せしめられている。
【００１６】
本発明に従って構成された蓋２４においては、天面壁２６の内面に少なくとも１個のスクレ−パ片５８が配設されている。図示の実施形態においては、天面壁２６の中央部３０の中心には下方に突出する円筒形状の支持柱６０が形成されており、この支持柱６０の外周面に等角度間隔をおいて４個のスクレーパ片５８が形成されている。スクレーパ片５８の各々は、支持柱６０の外周面から半径方向外方に円弧形状に、更に詳細には後述するとおりにして容器２２に装備されたスパウト２から蓋２４を離脱せしめる際の蓋２４の回転方向（図６において時計方向）に見て下流側が凹状である円弧形状に、延出せしめられている。加えて、スクレーパ片５８の各々は延出方向に向かって若干下方に漸次傾斜して延出せしめられているのが好都合である。
【００１７】
図７は図１乃至図３に示すスパウト２に図４乃至６に示す蓋２４を装着した状態を図示している。スパウト２に蓋２４を装着する際には、スパウト２の筒壁４に蓋２４を被嵌し、図７において上方から見て時計方向に蓋２４を回転せしめ、筒壁４に形成されている雄螺条８に蓋２４に形成されている雌螺条４８を螺合せしめる。雄螺条８と雌螺条４８とを所要とおりに螺合せしめて図７に図示する状態にせしめると、蓋２４のタンパーエビデント裾部４０に配設されている係止突起５０はスパウト２の筒壁４に配設されている係止あご部１０を弾性的に乗り越えて係止あご部１０に係止せしめられる。蓋２４の天面壁２６の円筒形状部３２はスパウト２の筒壁４内に進入し、その外周面が筒壁４の内周面に当接せしめられ、天面壁２６の外周縁部３４はその下面が筒壁４の先端に当接せしめられ、スカート壁２８の内周面上部に形成されている突出片４６はその突出端縁が筒壁４の外周面に当接乃至近接せしめられる。蓋２４の天面壁２６の内面に配設されているスクレーパ片５８の各々はスパウト２の閉塞壁６の外面に当接せしめられ、弾性的に幾分変形せしめられて実質上水平に延在する状態になって閉塞壁６の外面に弾性的に押圧される。スパウト２に蓋２４が装着された容器２２は倒立状態、即ち蓋２４の上面を下方に向けた状態、で平坦な支持表面（例えば食卓表面）に載置することができる。
【００１８】
容器２２内に収容されている粉、粒或いは顆粒でよい内容物を消費する際には、外蓋２４を図７において上方から見て反時計方向に回転せしめて雄螺条８と雌螺条４８との螺合を漸次解除する。かくすると蓋２４のタンパーエビデント裾部４０を除く部分は回転と共に上昇せしめられるが、タンパーエビデント裾部４０は、係止突起５０が係止あご部１０に係止されている故に、上昇が阻止され、これによって周方向破断ライン３６の橋絡部４４に応力が生成されて橋絡部４４が破断され、タンパーエビデント裾部４０が分離される。そして、タンパーエビデント裾部４０をスパウト２上に残留せしめて蓋２４がスパウト２から離脱され、スパウト２の閉塞壁６が露呈される。次いで、スパウト２の上端を下方に向けると、閉塞壁６に形成されている貫通孔１４ａ乃至１４ｅを通して内容物を排出することができる。所要量の内容物を排出した後には、蓋２４を再びスパウト２に装着して閉塞壁６を覆う。図８を参照することによって明確に理解される如く、スパウト２に蓋２４を装着する際には蓋４に配設されているスクレーパ片５８が閉塞壁７の外面をスクレープするが、次に蓋２４を図６において時計方向（図８において反時計方向）に回転せしめて蓋２４をスパウト２から離脱する際にも、スクレーパ片５８が閉塞壁６の外面をスクレープし、閉塞壁６の外面に付着した内容物６２を拭いスクレーパ片５８に付随せしめて移動せしめ、等間隔をおいて配設されている４個の貫通孔１４ｂ乃至１４ｅを通して容器２２内に戻す。かくして、閉塞壁６の外面に内容物が残留することが可及的に防止される。
【００１９】
図９には、本発明に従って構成された蓋の他の実施形態が図示されている。図９に図示する実施形態においては、ガラス或いは適宜の合成樹脂から形成することができる容器１２２に、中栓１０２が装着されると共に、本発明に従って構成された蓋１２４が装着されている。容器１２２は略円筒形状である口頸部即ち筒壁１０４を有し、この筒壁１０４の外周面には上端部に位置する係止あご部１２５と共に雄螺条１０８が形成されている。ポリエチレン又はポリプロピレンの如き適宜の合成樹脂から形成することができる中栓１０２は、容器１２２の筒壁１０４を閉塞する円形閉塞壁１０６を有する。そして、この閉塞壁１０６には、図１乃至図３に図示する上記スパウト２の閉塞壁６に形成されている貫通孔１４ａ乃至１４ｄと実質上同一でよい４個の貫通孔（図９にはそのうちの２個の貫通孔１１４ａ及び１１４ｂを図示している）が形成されている。閉塞壁１０６の下面周縁部には円筒形状のシール片１０７が形成されており、かかるシール片１０７は容器１２２の筒壁１０４の内周面に密接せしめられる。中栓１０２は、更に、閉塞壁１０６の上面外周縁部から上方に延びる筒状壁１０９、この筒状壁１０９から半径方向外方に延びる環状フランジ壁１１１及び環状フランジ壁１１１の外周縁部から垂下する筒状外壁１１３が形成されている。筒状外壁１１３の内周面下端には容器１２２の係止あご部１２５に係止せしめられる係止突条１１５が形成されている。
【００２０】
蓋１２４は円形天面壁１２６とこの天面壁１２６の外周縁部から垂下する円筒形状のスカート壁１２８とを有する。天面壁１２６の内面外周縁部には、中栓１０２の筒状壁１０９の内周面に密接せしめられる円筒形状のシール片１１７が形成されている。更に、天面壁１２６の内面中央部には、図４乃至図６に図示する蓋２４の場合と同様に、支持柱１６０を介してスクレーパ片１５８が形成されている。スカート壁１２８の内周面には雌螺条１４８が形成されている。かような蓋１２４は容器１２２の筒壁１０４及び中栓１０２に被嵌し、図９において時計方向に回転せしめて雌螺条１４８を雄螺条１０８に螺合せしめることによって装着され、図９において上方から見て反時計方向に回転せしめることによって容器１２２の筒壁１０４及び中栓１０２から離脱される。そしてこの際に、図４乃至図６に図示する蓋２４の場合と同様に、スクレーパ片１５８が中栓１０２の閉塞壁１０６の上面に作用する。
【符号の説明】
【００２１】
２：スパウト
４：筒壁
６：閉塞壁
８：雄螺条
１４ａ、１４ｂ、１４ｃ、１４ｄ、１４ｅ：貫通孔
２２：容器
２４：蓋
２６：天面壁
２８：スカート壁
３０：天面壁の中央部
３２：天面壁の円筒形状部
３４：天面壁の外周部
４８：雌螺条
５８：スクレーパ片
６０：支持柱
６２：内容物
１０２：中栓
１０４：筒壁
１０６：閉塞壁
１１４ａ、１１４ｂ：貫通孔
１２４：蓋
１２６：天面壁
１２８：スカート壁
１５８：スクレーパ片
１６０：支柱
【図１】
0005869286.tif 000002
【図２】
0005869286.tif 000003
【図３】
0005869286.tif 000004
【図４】
0005869286.tif 000005
【図５】
0005869286.tif 000006
【図６】
0005869286.tif 000007
【図７】
0005869286.tif 000008
【図８】
0005869286.tif 000009
【図９】
0005869286.tif 000010